(57)【特許請求の範囲】
【請求項１】
遊技機の筐体に回転可能に取付けられた前扉を前記筐体に施錠するための遊技機用施錠装置であって、
前記前扉に取付けられるベースと、前記ベースに移動可能に取付けられかつ前記筐体側に解除可能に係合するラッチと、前記ラッチを操作するためのサブユニットを有し、
前記サブユニットは、前記ベースに取外し可能に取付けられるサブベースと、前記サブベースに取付けられかつ錠軸を備えるシリンダ錠と、前記錠軸に取付けられかつ前記錠軸とともに第一方向に回転して前記ラッチを移動させるカムと、前記サブベースに移動可能に取付けられかつ前記第一方向と反対方向に回転した前記カムによって移動されるリセットスイッチ用スイッチと、前記サブベースに取付けられかつ前記スイッチの移動を検知して前記遊技機の制御装置に検知信号を発信するリセットスイッチ用センサを有し、
前記サブベースは、前記シリンダ錠が取付けられかつ前記カムの前方を覆う第一板部と、前記第一板部から前記カムの側方へ延出する第二板部と、前記第二板部と反対側にて前記第一板部から前記カムの側方へ延出する第三板部を有し、
前記ラッチと前記スイッチは、それぞれ前記第一板部と前記第二板部と前記第三板部によって囲われる領域において前記カムによって押される力受部を有し、
前記カムは、前記ラッチの前記力受部と前記スイッチの前記力受部を押すように前記カムの回転中心から延出する爪を有し、前記第二板部には、前記爪の先端が貫通することを許容する長穴が形成されている遊技機用施錠装置。
【請求項２】
請求項１に記載の遊技機用施錠装置であって、
前記ベースは、上下方向に延出しかつ前記前扉の後面に沿うベース取付部と、前記ベース取付部から後方へ延出しかつ前記前扉の回転先端側から前記ラッチの全体を覆うベース本体板部を有し、
前記サブベースは、前記前扉内において前記第一板部が前記ベース取付部の前側に位置しかつ前記ベース取付部と前記第一板部の間に前記カムが位置するように前記ベースに取付く取付脚部を有する遊技機用施錠装置。
【請求項３】
請求項１または２に記載の遊技機用施錠装置であって、
前記サブベースは、前記第二板部から延出して前記センサが取付けられる第四板部を有し、
前記第二板部に前記スイッチが移動可能に取付けられる遊技機用施錠装置。
【発明の詳細な説明】
【技術分野】
【０００１】
本発明は、遊技機の筐体に回転可能に取付けられた前扉を筐体に施錠するための遊技機用施錠装置に関する。
【背景技術】
【０００２】
従来の施錠装置は、遊技機（例えばスロットマシン）の前扉の裏面に取付けられる上下に長いベースと、ベースにスライド可能に取付けられるラッチ杆と、ベースに傾動可能に取付けられかつラッチ杆に連結されるラッチ部材と、ベースに取付けられるシリンダ錠ユニットを有する。シリンダ錠ユニットは、錠軸を有するシリンダ錠と、錠軸に取付けられるカムを有する。錠軸が回転すると、カムがラッチ杆を押し、ラッチ杆がラッチ部材を傾動させ、ラッチ部材が筐体側に対して係合解除される。施錠装置には、さらに遊技機の制御装置をリセットするためのリセットスイッチも設けられる。リセットスイッチは、ラッチ杆に設けられるスイッチ片と、ベースに取付けられてスイッチ片の移動を検知するセンサを有する。
【先行技術文献】
【特許文献】
【０００３】
【特許文献１】特開２０１０−２２２９４８号公報
【発明の概要】
【発明が解決しようとする課題】
【０００４】
しかし施錠装置は、遊技機の筐体および前扉の変更によって形状が一般に変更される。そのため施錠装置は、筐体等の変更の度にリセットスイッチを含む多くの部品が変更される。したがって部品の多くを汎用し得る施錠装置が従来必要とされている。
【課題を解決するための手段】
【０００５】
前記課題を解決するために本発明は、各請求項に記載の通りの構成を備える遊技機用施錠装置であることを特徴とする。一つの特徴によると本発明は、前扉に取付けられるベースと、ベースに移動可能に取付けられかつ筐体側に解除可能に係合するラッチと、ラッチを操作するためのサブユニットを有する。サブユニットは、ベースに取外し可能に取付けられるサブベースと、サブベースに取付けられかつ錠軸を備えるシリンダ錠と、錠軸に取付けられかつ錠軸とともに第一方向に回転してラッチを移動させるカムと、サブベースに移動可能に取付けられかつ第一方向と反対方向に回転したカムによって移動されるリセットスイッチ用スイッチと、サブベースに取付けられかつスイッチの移動を検知して遊技機の制御装置に検知信号を発信するリセットスイッチ用センサを有する。
【０００６】
したがって施錠装置は、種々な筐体および前扉に対してサブユニット（シリンダ錠、カム、リセットスイッチ）が共通部品として利用され得る。例えば施錠装置の上下長さの変更が必要な場合は、ベースとラッチの長さを変えることで対応できる。シリンダ錠の位置の変更が必要な場合は、ベースのサブユニットの取付位置を変えることで対応できる。またカムによって作動されるリセットスイッチは、サブユニットとしてカムと一体に設けられるため、カムとの位置関係を考慮して位置決定される必要がない。かくしてサブユニットの共通化によって金型費と開発費と組付作業が軽減されて、施錠装置が安価に構成され得る。
【図面の簡単な説明】
【０００７】
【図１】パチスロの筐体と前扉と施錠装置の斜視図である。
【図２】パチスロの筐体と前扉と施錠装置の斜視図である。
【図３】施錠装置の斜視図である。
【図４】施錠装置の分解斜視図である。
【図５】施錠装置の分解斜視図である。
【図６】施錠装置の一部分解斜視図である。
【図７】サブユニットの分解斜視図である。
【図８】施錠状態における施錠装置の一部斜視図である。
【図９】解錠状態における施錠装置の一部斜視図である。
【発明を実施するための形態】
【０００８】
本発明の一つの実施の形態を図１〜９にしたがって説明する。図１，２に示すように遊技機の一つであるパチスロ（回胴式遊技機）２０は、パチンコ店に設置されるスロットマシンである。パチスロ２０は、筐体２１と前扉２２と施錠装置１を有する。
【０００９】
筐体２１は、図１，２に示すように箱形状であって前側に開口部２１ａを有する。前扉２２は、ヒンジ２３によって筐体２１に回転可能に取付けられ、開口部２１ａを開く開き位置と、開口部２１ａを閉じる閉じ位置の間を移動する。前扉２２には、パチスロ２０の制御を行う制御装置２４が装着される。制御装置２４は、リールの回転停止の制御、ボーナスの種類の決定など制御を行う。
【００１０】
施錠装置１は、図１，２に示すように前扉側部材１ａと筐体側部材１ｂを有する。前扉側部材１ａは、前扉２２の回動先端部の後側領域に取付けられる。筐体側部材１ｂは、筐体２１の内周縁の一側領域に取付けられる。前扉側部材１ａは、前扉２２を閉じ位置にすることで筐体側部材１ｂに係合して、前扉２２を筐体２１に対してロックする。
【００１１】
前扉側部材１ａは、図３〜５に示すようにベース２とラッチ３，４とサブユニット１ｃを有する。ベース２は、上下に長く、ベース取付部２ａとベース本体板部２ｂとカバー部２ｃ，２ｄを一体に有する。ベース取付部２ａは、図１に示す前扉２２にねじ等によって取付けられて前扉２２の後面に沿う。ベース本体板部２ｂは、ベース取付部２ａの左縁から後方に延出する。カバー部２ｃ，２ｄは、ベース本体板部２ｂの後縁からベース取付部２ａと反対方向に延出する。ベース本体板部２ｂの下部には、ローラ１０が回転可能に取付けられる。
【００１２】
ラッチ３，４は、図４，６に示すように係合部３ａ，４ａとラッチ杆３ｂ，４ｂを一体に有する。ラッチ杆３ｂ，４ｂは、板状であって、上下方向に延出する。ラッチ杆３ｂ，４ｂに形成された長穴３ｃ，３ｄ，３ｈ，４ｃ，４ｈに挿入されたかしめピン１２〜１４によってラッチ杆３ｂ，４ｂがベース本体板部２ｂに上下方向に移動可能に取付けられる。ラッチ杆４ｂには、ばね１の上端部が係止される爪４ｅが形成される。ラッチ杆３ｂには、爪３ｅが形成される。爪３ｅは、ラッチ杆４ｂに形成された開口部４ｆを貫通し、ばね１１の下端部が係止される。したがってラッチ３は、ばね１１によって上方に付勢され、ラッチ４は、ばね１１によって下方に付勢される。
【００１３】
ラッチ杆３ｂ，４ｂの端部（上端部または下端部）には、図３，６に示すように係合部３ａ，４ａが形成される。係合部３ａ，４ａは、筐体側部材１ｂに形成された受部１７，１８に対して上下方向に移動して、受部１７，１８に解除可能に係合する。ラッチ３，４の略全体がベース本体板部２ｂによって右側から覆われ、係合部３ａ，４ａがカバー部２ｃ，２ｄによって後方から覆われる。
【００１４】
ラッチ杆３ｂの下部前端縁には、図４〜６に示すように力受部３ｇが形成される。力受部３ｇは、ラッチ杆３ｂから右側へ延出し、ベース取付部２ａの前方を延出する。ラッチ杆４ｂの上下中間部の前端縁には、力受部４ｇが形成される。力受部４ｇは、力受部３ｇよりも上側に位置し、ラッチ杆４ｂから左側へ延出する。
【００１５】
サブユニット１ｃは、図５，７に示すようにサブベース５とリセットスイッチ１ｄとシリンダ錠６を有する。サブベース５は、第一板部５ａ〜第四板部５ｄと取付脚部５ｅ，５ｆを一体に有する。第一板部５ａには、シリンダ錠６が後方から挿入される取付孔５ａ１が形成される。第二板部５ｂは、図４に示すように第一板部５ａの左端縁から後方に延出する。第四板部５ｄは、第二板部５ｂの下縁から下方に延出する。第三板部５ｃは、図５に示すように第一板部５ａの右端縁から後方に延出する。
【００１６】
リセットスイッチ１ｄは、図７に示すようにスイッチ８とセンサ９とばね１５を有する。スイッチ８は、板状であって、本体部８ａと作動片８ｂを一体に有する。本体部８ａには、長穴８ｃ，８ｄが形成され、長穴８ｃ，８ｄに挿入されたかしめピンによって本体部８ａが第二板部５ｂに上下方向に移動可能に取付けられる。作動片８ｂは、本体部８ａの下部から下方に延出する第一部８ｂ１と、第一部８ｂ１の端縁からセンサ９に向けて延出する第二部８ｂ２を有する。
【００１７】
スイッチ８の本体部８ａには、図７に示すようにばね１５の下端部が係止される爪８ｅが形成される。第二板部５ｂには爪５ｇが形成される。爪５ｇは、本体部８ａに形成された孔８ｆに挿入され、ばね１５の上端部が係止される。スイッチ８は、ばね１５によって上方に付勢され、作動片８ｂがセンサ９よりも上方に位置する。本体部８ａの下部には、第一板部５ａに向けて突出する力受部８ｇが形成される。スイッチ８は、力受部８ｇがカム７によって押されることでばね１５に抗して下方へ移動される。
【００１８】
センサ９は、図７に示すように第四板部５ｄに取付けられる。センサ９は、第四板部５ｄからスイッチ８に向けて突出する発光部９ａと受光部９ｂを有する。発光部９ａは、ＬＥＤ等の発光源を発光し、受光部９ｂが該光を受信する。発光部９ａと受光部９ｂの隙間には、スイッチ８の第二部８ｂ２が出入りされ得る。該隙間に第二部８ｂ２が位置すると、発光部９ａから受光部９ｂに光が到達せず、センサ９が検知信号を制御装置２４に発信する。制御装置２４は、センサ９からの検知信号に基づいてパチスロ２０のプログラムを初期状態にリセットする。
【００１９】
シリンダ錠６は、図７に示すようにシリンダ部６ｂと、シリンダ部６ｂ内に軸回転可能に設けられる錠軸６ａと、シリンダ部６ｂの後部に形成されるフランジ部６ｃを有する。フランジ部６ｃは、第一板部５ａの後面にねじによって取付けられる。錠軸６ａは、フランジ部６ｃよりも後方に延出し、該端部にカム７が回転不能に取付けられる。
【００２０】
カム７は、図７，８に示すように中央部７ａと第一爪７ｂと第二爪７ｃを一体に有する。中央部７ａは、錠軸６ａに回転不能に取付けられる。第一爪７ｂは、中央部７ａから第三板部５ｃに向けて延出する。第二爪７ｃは、中央部７ａから第二板部５ｂに向けて延出する。第一爪７ｂは、図８，９に示すようにラッチ３の力受部３ｇの上側に設置される。第二爪７ｃは、ラッチ４の力受部４ｇの下側に設置される。
【００２１】
したがってカム７が時計回りに回転した場合、第一爪７ｂが力受部３ｇを押してラッチ３が下方に移動する。第二爪７ｃが力受部４ｇを押してラッチ４が上方に移動する。第二爪７ｃは、図７に示すスイッチ８の力受部８ｇの上方に設置される。したがってカム７が反時計回りに（図７では時計回り）回転した場合は、第二爪７ｃが力受部８ｇを押し、スイッチ８が下方に移動する。
【００２２】
サブベース５は、図５，７に示すように取付脚部５ｅ，５ｆを有する。取付脚部５ｅは、第一板部５ａの上端部からベース２に向けて延出する。取付脚部５ｅには、取付孔５ｅ１と凸部５ｅ２が形成される。凸部５ｅ２は、ベース取付部２ａに形成された孔２ａ２に挿入され、取付脚部５ｅをベース取付部２ａに位置決めする。取付孔５ｅ１にねじが挿入され取付孔２ａ１に螺合されることで取付脚部５ｅがベース取付部２ａに取付けられる。
【００２３】
取付脚部５ｆは、図４，７に示すように第二板部５ｂの第一板部５ａの反対側端縁から第一板部５ａと略平行に延出する。取付脚部５ｆには、取付孔５ｆ１，５ｆ２と凸部５ｆ３が形成される。凸部５ｆ３は、カバー部２ｄに形成された孔２ｄ３に挿入され、取付脚部５ｆをカバー部２ｄに位置決めする。取付孔５ｆ１，５ｆ２にねじが挿入され取付孔２ｄ１，２ｄ２に螺合されることで取付脚部５ｆがカバー部２ｄに取付けられる。
【００２４】
筐体側部材１ｂは、図２，３に示すようにベース１６と受部１７，１８とガイド部１９を一体に有する。ベース１６は、上下方向に延出し、筐体２１の内側面に取付けられる。受部１７は、ベース１６の上部後縁に形成され、筒部１７ａと蓋部１７ｂを有する。筒部１７ａは、ベース１６と協働して筒状を形成し、蓋部１７ｂが筒部１７ａの上部を覆う。受部１７には、ラッチ３の係合部３ａが下側から解除可能に挿入される。受部１８は、ベース１６の下部後縁に形成される。受部１８は、ベース１６と協働して筒状を形成する筒部１８ａを有する。受部１８には、ラッチ４の係合部４ａが上側から解除可能に挿入される。
【００２５】
ガイド部１９は、図３に示すようにベース１６の下部から側方に延出し、かつ前後方向に延出する。ガイド部１９の前端部には、傾斜面１９ａが形成される。前扉２２を筐体２１に対して開き位置から閉じ位置へ移動させることで、傾斜面１９ａにローラ１０が当たり、ローラ１０がガイド部１９の上を転がる。これにより前扉側部材１ａと筐体側部材１ｂが係合され得る。
【００２６】
筐体側部材１ｂを筐体２１に取付ける場合は、図１に示すように筐体２１に対応する形状の筐体側部材１ｂを選択して筐体２１に取付ける。前扉側部材１ａを前扉２２に取付ける場合は、前扉２２に対応する形状のベース２とラッチ３，４を選択して、該ベース２にサブユニット１ｃを取付け、ベース２を前扉２２に取付ける。したがってサブユニット１ｃは、前扉２２の形状に係らずに同一のものが使用される。
【００２７】
前扉２２を開き位置から閉じ位置にする場合は、図３に示すようにローラ１０がガイド部１９の上を転がり、ベース本体板部２ｂがベース１６の左側に位置する。ラッチ３，４が受部１７，１８に当たり、ラッチ３，４がばね１１に抗して移動しかつ戻ることでラッチ４が受部１７，１８に係合する。これにより施錠装置１によって前扉２２が筐体２１に対して施錠される。
【００２８】
前扉２２を解錠する場合は、シリンダ錠６に鍵を挿入して、鍵を時計回りに回す。カム７が時計回りに回転し、図９に示すようにラッチ３がばね１１に抗して下方に移動して受部１７から外れる（図３参照），ラッチ４がばね１１に抗して上方に移動して受部１８から外れる。かくして前扉２２が筐体２１に対して解錠される。
【００２９】
シリンダ錠６に鍵を挿入して、鍵を反時計回りに回した場合は、カム７が反時計回りに回転する。カム７が図７に示すようにスイッチ８をばね１５に抗して下方に移動させ、スイッチ８の第二部８ｂ２がセンサ９の発光部９ａと受光部９ｂの間に移動する。センサ９がスイッチ８の移動を検知し、制御装置２４に検知信号を発信する。制御装置２４は、検知信号に基づいて初期状態にリセットされる。
【００３０】
以上のように施錠装置１は、図３に示すように前扉２２に取付けられるベース２と、ベース２に移動可能に取付けられかつ筐体２１側に解除可能に係合するラッチ３，４と、ラッチ３，４を操作するためのサブユニット１ｃを有する。サブユニット１ｃは、ベース２に取外し可能に取付けられるサブベース５と、サブベース５に取付けられかつ錠軸６ａを備えるシリンダ錠６と、錠軸６ａに取付けられかつ錠軸６ａとともに第一方向に回転してラッチ３，４を移動させるカム７と、サブベース５に移動可能に取付けられかつ第一方向と反対方向に回転したカム７によって移動されるリセットスイッチ用スイッチ８と、サブベース５に取付けられかつスイッチ８の移動を検知してパチスロ（遊技機）２０の制御装置２４（図１参照）に検知信号を発信するリセットスイッチ用センサ９を有する。
【００３１】
したがって施錠装置１は、種々な筐体２１および前扉２２に対してサブユニット１ｃ（シリンダ錠６、カム７、リセットスイッチ１ｄ）が共通部品として利用され得る。例えば施錠装置１の上下長さの変更が必要な場合は、ラッチ３，４等の長さを変えることで対応できる。シリンダ錠６の位置の変更が必要な場合は、ベース２のサブユニット１ｃの取付位置を変えることで対応できる。またカム７によって作動されるリセットスイッチ１ｄは、サブユニット１ｃとしてカム７と一体に設けられるため、カム７との位置関係を考慮して位置決定される必要がない。かくしてサブユニット１ｃの共通化によって金型費と開発費と組付作業が軽減され、施錠装置１が安価に構成され得る。
【００３２】
サブベース５は、図７に示すようにシリンダ錠６が取付けられかつカム７の前方を覆う第一板部５ａと、第一板部５ａからカム７の側方へ延出する第二板部５ｂと、第二板部５ｂと反対側にて第一板部５ａからカム７の側方へ延出する第三板部５ｃを有する。ラッチ３，４は、図４，５に示すように第一板部５ａと第二板部５ｂと第三板部５ｃによって囲われる領域においてカム７によって押される力受部３ｇ，４ｇを有する。
【００３３】
したがってラッチ３，４の力受部３ｇ，４ｇは、前扉２２と筐体２１の隙間から不正に挿入される不正具（板部材、ワイヤー等）によって押されることが抑制され得る。かくして前扉２２が筐体２１に対して不正に解錠されることが抑制され得る。
【００３４】
ベース２は、図３に示すように上下方向に延出しかつ前扉２２の後面に沿うベース取付部２ａと、ベース取付部２ａから後方へ延出しかつ前扉２２の回転先端側からラッチ３，４の全体を覆うベース本体板部２ｂを有する。サブベース５は、前扉２２内において第一板部５ａがベース取付部２ａの前側に位置しかつベース取付部２ａと第一板部５ａの間にカム７が位置するようにベース２に取付く取付脚部５ｅ，５ｆを有する。
【００３５】
したがって筐体２１と前扉２２の隙間から挿入される不正具は、ベース本体板部２ｂによってラッチ３，４に到達することが規制される。そのためラッチ３，４が不正に操作されて前扉２２が筐体２１に対して不正に解錠されることが規制され得る。カム７は、第一板部５ａとベース取付部２ａによって前後から覆われるため、前後方向から不正に操作されることが規制され得る。そのためカム７が不正に操作されて前扉２２が不正に筐体２１に対して解錠されることが規制され得る。
【００３６】
サブベース５は、図７に示すように第二板部５ｂから延出してセンサ９が取付けられる第四板部５ｄを有する。第二板部５ｂにスイッチ８が移動可能に取付けられる。したがってリセットスイッチ１ｄのセンサ９とスイッチ８が第二板部５ｂを利用して設けられる。そのためセンサ９とスイッチ８の位置が容易に決定され、リセットスイッチ１ｄが簡易に構成され得る。
【００３７】
ラッチ３，４は、図３に示すように上下方向に直線的にスライドすることで受部１７，１８に係脱され得る。そのためラッチ３，４は、受部１７，１８に対して簡易な構造にて係合解除され得る。
【００３８】
受部１７，１８は、図３を参照するようにラッチ３，４の係合部３ａ，４ａが係合された際に係合部３ａ，４ａをベース１６と協働して前後方向と左右方向から覆う筒部１７ａ，１８ａを有する。そのため不正具によってラッチ３，４が受部１７，１８から解除されることが筒部１７ａ，１８ａによって効果的に規制され得る。
【００３９】
本発明は、上記実施の形態に限定されず、以下の形態等であっても良い。例えば、図１に示す施錠装置１は、パチンコ店に設置されるパチスロ２０に設けられても良いし、他の場所に設置されるスロットマシンに設けられても良い、あるいは他の遊技機に設けられても良い。
【００４０】
ラッチ３，４は、ラッチ杆３ｂ，４ｂと係合部３ａ，４ａを一体に有していても良いし、ラッチ杆３ｂ，４ｂとラッチ部材を別個に有し、ラッチ部材がベース２に回転可能に取付けられかつラッチ杆３ｂ，４ｂに連結され、ラッチ杆３ｂ，４ｂがベース２に対して上下動することでラッチ部材がベース２に対して傾動しても良い。
【００４１】
スイッチ８は、図７に示すようにサブベース５にスライド可能に取付けられても良いが、サブベース５に傾動可能に取付けられても良い。
【００４２】
センサ９は、発光と受光とによってスイッチ８の移動を検知しても良いが、赤外線の送受信あるいは磁力、磁気の変化等を検知してスイッチ８の移動を検知しても良い。
【符号の説明】
【００４３】
１…施錠装置
１ａ…前扉側部材
１ｂ…筐体側部材
１ｃ…サブユニット
１ｄ…リセットスイッチ
２，１６…ベース
２ａ…ベース取付部
２ｂ…ベース本体板部
３，４…ラッチ
３ｇ，４ｇ，８ｇ…力受部
５…サブベース
５ａ…第一板部
５ｂ…第二板部
５ｃ…第三板部
５ｄ…第四板部
５ｅ，５ｆ…取付脚部
６…シリンダ錠
６ａ…錠軸
７…カム
８…スイッチ
９…センサ
１０…ローラ
１７，１８…受部
２０…パチスロ（遊技機）
２１…筐体
２２…前扉
２４…制御装置
【図１】
0005784305.tif 000002
【図２】
0005784305.tif 000003
【図３】
0005784305.tif 000004
【図４】
0005784305.tif 000005
【図５】
0005784305.tif 000006
【図６】
0005784305.tif 000007
【図７】
0005784305.tif 000008
【図８】
0005784305.tif 000009
【図９】
0005784305.tif 000010